(57)【要約】【課題】信号機の発光部の前面に雪が付着することを防止する。【解決手段】信号機１１の発光部１２の前面側に取り付けられるフードにおいて、発光部１２の前方領域の上方部に対応する部分に遮光部２ａを有するフード本体２を備え、そのフード本体２の前面側に、当該フード本体２の頂部から後側に向けて斜め下方に傾斜する透明の着雪防止用板３を設けている。そして、このような構造の信号機用フード１を信号機１１に取り付けることで、降雪や吹雪時において、発光部１２の前面に雪が付着することを防止することができ、これにより、降雪や吹雪時においても信号としての機能を維持することができる結果、自動車や歩行者の安全を確保することができる。【選択図】図４
2005148812.tif 000002
【特許請求の範囲】
【請求項１】
信号機の発光部の前面側に取り付けられるフードであって、前記発光部の前方領域の上方部に対応する部分に遮光部を有するフード本体を備え、そのフード本体の前面側に、当該フード本体の頂部から後側に向けて斜め下方に傾斜する透明の着雪防止用板が設けられていることを特徴とする信号機用フード。
【請求項２】
請求項１記載の信号機用フードが取り付けられていることを特徴とする車両用または歩行者用の信号機。
【発明の詳細な説明】
【技術分野】
【０００１】
本発明は、車両用信号機や歩行者用信号機などの信号機に用いられるフードに関し、特に、積雪寒冷地域の信号機に適した信号機用フード及びそれを備えた信号機に関する。
【背景技術】
【０００２】
車両用信号機や歩行者用信号機などの信号機には、発光部の前面レンズに対し上方から入射する直射日光を遮るためのフード（庇）が設けられている（例えば特許文献１参照。）。
【０００３】
また、積雪寒冷地域の信号機のフードに関して、降雪による影響を回避する方法が提案されている（例えば特許文献２、特許文献３及び特許文献４参照）。
【特許文献１】実開平６−６００００号公報
【特許文献２】特開平９−２４５２９１号公報
【特許文献３】特開２００１−２３０８７号公報
【特許文献４】特開２００３−３０３３９９号公報
【発明の開示】
【発明が解決しようとする課題】
【０００４】
ところで、積雪寒冷地域の信号機においては、降雪や吹雪時の気温・風速等のある条件により、信号機の発光部の前面部に雪が付着して信号が見えにくくなり、基本的な信号機としての機能を果たせなくなる場合がある。このような状況になると、交通安全上において危険な状態となるので、信号機に付着した雪を除去する必要があるが、その除去作業は人手によって行われたりしており、多くの労力を要している。
【０００５】
本発明はそのような実情に鑑みてなされたもので、信号機の発光部の前面に雪が付着することを防止することが可能な信号機用フード、及び、そのような特徴を有するフードを備えた車両用または歩行者用の信号機の提供を目的とする。
【課題を解決するための手段】
【０００６】
本発明の信号機用フードは、信号機の発光部（ランプユニットまたはＬＥＤユニット）の前面側に取り付けられるフードであって、前記発光部の前方領域の上方部に対応する部分に遮光部を有するフード本体を備え、そのフード本体の前面側に、当該フード本体の頂部から後側（信号機側）に向けて斜め下方に傾斜する透明の着雪防止用板が設けられていることを特徴としている。
【０００７】
本発明の信号機用フードでは、信号機の発光部の前面となる位置に透明の着雪防止用板を設けているので、降雪や吹雪時において、雪が発光部に到達することを着雪防止用板によって遮ることができ、発光部の前面に雪が付着することを防止することができる。さらに、着雪防止用板が傾斜しているので、着雪防止用板の前面にも雪が付着しにくくなる。
【０００８】
本発明の信号機は、車両用または歩行者用の信号機であって、前記した特徴を有する信号機用フードが取り付けられているので、信号機の発光部前面に雪が付着することを防止することができ、降雪や吹雪時においても信号としての機能を維持することができる。
【発明の効果】
【０００９】
本発明によれば、信号機の発光部前面への着雪を防止することができるため、降雪や吹雪時においても信号としての機能を維持することができ、車両や歩行者の安全を確保することができる。
【発明を実施するための最良の形態】
【００１０】
以下、本発明の実施形態を図面に基づいて説明する。
【００１１】
図１は本発明の信号機用フードの一例を示す縦断面図である。図２及び図３は図１の信号機用フードの斜視図である。
【００１２】
この例の信号機用フード１は、積雪寒冷地域の車両用信号機（もしくは歩行者信号機）の発光部の前面側に取り付けられるフードであって、フード本体２と、このフード本体２の前面に設けられた着雪防止用板３によって構成されている。
【００１３】
フード本体２は、ＡＢＳ樹脂（アクリロニトリル−ブタジエン−スチレン樹脂）等の透明樹脂で成形されており、円筒体の先端側を斜め下方にカットした形状で、信号機の発光部１２（図４参照）の前方領域を覆う形状に成形されている。フード本体２の上半分の外周面（もしくは内周面または内外の両面）には遮光塗装が施されており、その遮光塗装部２ａが遮光用の庇として機能する。なお、フード本体２の後端部には、信号機への取付用の孔２ｂが周方向に沿って所定のピッチで設けられている。
【００１４】
着雪防止用板３は、同じくＡＢＳ樹脂等の透明樹脂製の板であって、前記したフード本体２の前端頂部から後側（信号機側）に向けて斜め下方に傾斜している。また、着雪防止用板３は前方に凸の球面状（例えば曲率半径＝５００ｍｍ）に成形されている。
【００１５】
以上の構造のフード本体２と着雪防止用板３とは、それぞれ個別にしたものを接合等により一体化したものであってもよいし、フード本体２と着雪防止用板３とを一体形成したものであってよい。
【００１６】
また、着雪防止用板３と鉛直線との角度は、着雪防止用板３の中心部分で４５度程度が好ましい。
【００１７】
そして、以上の構造の信号機用フード１は、図４に示すように、車両用信号機１１の発光部１２の前面側に取り付けられる。この取付状態において、遮光塗装部２ａにて上方（４５°以上）からの直射日光が発光部１２の前面レンズ１３に入射することを防止することができる。
【００１８】
さらに、発光部１２の前面と対向する位置に透明の着雪防止用板３が設けられているので、降雪や吹雪時において、雪が発光部１２に到達することを着雪防止用板３によって遮ることができ、発光部１２の前面レンズ１３に雪が付着することを防止することができる。しかも、着雪防止用板３が傾斜しているので、着雪防止用板３の前面にも雪が付着しにくくなる。また、着雪防止用板３が前面に雪が付着した場合でも、付着した雪が風により吹き飛ばされやすくなる。
【００１９】
従って、降雪や吹雪時においても、車両用信号機１１の発光部１２が見えにくくなることがなくなり、信号としての機能を維持することができ、道路を走行する自動車の安全を確保することができる。
【００２０】
なお、図１〜図４に示す例では、着雪防止用板３を前方に凸の球面形状としているが、これに限られることなく、例えば図５に示すように、信号機用フード１０の着雪防止用板３０はフラットな平板であってもよい。
【００２１】
以上の実施形態では、車両用信号機に本発明を適用した例を示したが、本発明はこれに限られることなく、歩行者用信号機などの他の各種の信号機に適用することができる。
【産業上の利用可能性】
【００２２】
本発明は、積雪寒冷地域に設置される車両用や歩行者用の信号機などの発光部に雪が付着することを防止するのに有効に利用できる。
【図面の簡単な説明】
【００２３】
【図１】本発明の信号機用フードの一例を示す縦断面図である。
【図２】図１の信号機用フードの斜視図である。
【図３】図１の信号機用フードの斜視図である。
【図４】図１の図１の信号機用フードを車両用信号機に取り付けた状態を示す断面図である。
【図５】本発明の信号機用フードの他の例を示す断面図である。
【符号の説明】
【００２４】
１  信号機用フード
２  フード本体
２ａ  遮光塗装部（遮光部）
２ｂ  取付用の孔
３  着雪防止用板
１１  車両用信号機
１２  発光部
１３  前面レンズ
【図１】
2005148812.tif 000003
【図２】
2005148812.tif 000004
【図３】
2005148812.tif 000005
【図４】
2005148812.tif 000006
【図５】
2005148812.tif 000007